【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
情報処理装置であって、
番組及びデータを含むコンテンツと、情報処理装置で前記データを出力するか否かを識別する出力識別子と、前記データに対応する特定元を識別する特定元識別子と、当該情報処理装置を識別する情報処理装置識別子とを記憶する記憶部と、
前記記憶部に記憶している出力識別子に基づいて前記データを出力するか否かを判断する判断部と、
前記判断部が前記データを出力することを禁止すると判断した場合には、前記データを出力しないように制御して前記記憶部に記憶している番組を出力する制御部と、
前記制御部が出力しないように制御したデータに対応する特定元識別子及び前記情報処理装置識別子を含む状況情報を記録する状況情報記録部と、
前記状況情報記録部で記録した状況情報を出力する状況情報出力部と
を具備する情報処理装置。
【請求項２】
前記記憶部は、前記データのデータサイズの情報であるサイズ情報をも記憶しており、
前記状況情報には前記サイズ情報が含まれている請求項１に記載の情報処理装置。
【請求項３】
前記記憶部は、前記データを再生した場合の再生時間に関する再生時間情報をも記憶しており、
前記状況情報には再生時間情報が含まれている請求項１に記載の情報処理装置。
【請求項４】
情報処理装置であって、
番組及びデータを含むコンテンツと、情報処理装置で前記データを出力するか否かを識別する出力識別子と、前記データに対応する特定元を識別する特定元識別子と、当該情報処理装置を識別する情報処理装置識別子とを記憶する記憶部と、
前記記憶部に記憶している出力識別子に基づいて前記データを出力するか否かを判断する判断部と、
前記判断部が前記データを出力することを禁止すると判断した場合には、前記データを出力しないように制御して前記記憶部に記憶している番組を出力する制御部と、
前記制御部が出力しないように制御したデータに対応する特定元識別子及び前記情報処理装置識別子を含む状況情報を記録する状況情報記録部と、
前記状況情報記録部で記録した特定元識別子に基づいて課金額を決定する課金額決定部と
を具備する情報処理装置。
【請求項５】
情報処理装置であって、
番組及びデータを含むコンテンツと、情報処理装置で前記データを出力するか否かを識別する出力識別子と、前記データに対応する特定元を識別する特定元識別子と、前記データのデータサイズの情報であるサイズ情報と、当該情報処理装置を識別する情報処理装置識別子とを記憶する記憶部と、
前記記憶部に記憶している出力識別子に基づいて前記データを出力するか否かを判断する判断部と、
前記判断部が前記データを出力することを禁止すると判断した場合には、前記データを出力しないように制御して前記記憶部に記憶している番組を出力する制御部と、
前記制御部が出力しないように制御したデータに対応する特定元識別子、サイズ情報及び前記情報処理装置識別子を含む状況情報を記録する状況情報記録部と、
前記状況情報記録部で記録した特定元識別子及びサイズ情報に基づいて課金額を決定する課金額決定部と
を具備する情報処理装置。
【請求項６】
情報処理装置であって、
番組及びデータを含むコンテンツと、情報処理装置で前記データを出力するか否かを識別する出力識別子と、前記データに対応する特定元を識別する特定元識別子と、前記データを再生した場合の再生時間に関する再生時間情報と、当該情報処理装置を識別する情報処理装置識別子とを記憶する記憶部と、
前記記憶部に記憶している出力識別子に基づいて前記データを出力するか否かを判断する判断部と、
前記判断部が前記データを出力することを禁止すると判断した場合には、前記データを出力しないように制御して前記記憶部に記憶している番組を出力する制御部と、
前記制御部が出力しないように制御したデータに対応する特定元識別子、再生時間情報及び前記情報処理装置識別子を含む状況情報を記録する状況情報記録部と、
前記状況情報記録部で記録した特定元識別子及び再生時間情報に基づいて課金額を決定する課金額決定部と
を具備する情報処理装置。
【請求項７】
前記課金額決定部で決定した課金額情報と前記情報処理装置識別子とを出力する課金額情報出力部をも具備する請求項４から請求項６の何れかに記載の情報処理装置。
【請求項８】
前記コンテンツの出力指示の情報である出力指示情報の入力を受け付けるコンテンツ出力指示入力受付部をも具備し、
前記制御部が、前記コンテンツ出力指示入力受付部が前記コンテンツの出力指示情報の入力を受け付け、かつ前記判断部が前記データを出力することを禁止すると判断した場合に、前記データを出力しないように制御して前記記憶部に記憶している番組を出力する請求項１から請求項７の何れかに記載の情報処理装置。
【請求項９】
前記特定元はスポンサである請求項１から請求項８の何れかに記載の情報処理装置。
【請求項１０】
前記データは広告を含んでなる広告情報である請求項１から請求項９の何れかに記載の情報処理装置。
【請求項１１】
前記制御部が出力した前記コンテンツを表示する表示部をも具備する請求項１から請求項１０の何れかに記載の情報処理装置。
【請求項１２】
番組及びデータを含むコンテンツと前記データに対応する特定元を識別する特定元識別子とを受け付ける受付部をも具備する請求項１から請求項１１の何れかに記載の情報処理装置。
【請求項１３】
情報処理装置で前記データを出力するか否かを識別する出力識別子を受け付ける受付部をも具備する請求項１から請求項１２の何れかに記載の情報処理装置。
【請求項１４】
請求項１から請求項１３の何れかに記載の情報処理装置をコンピュータ上で実現するためのプログラム。
【請求項１５】
請求項３に記載の情報処理装置の状況情報出力部から出力される状況情報を受信する状況情報受信部と、受信した状況情報に基づいて課金額を決定する課金額決定部とを具備する料金収集センタ用サーバ。
【請求項１６】
請求項７に記載の情報処理装置の課金額情報出力部から出力される課金額情報と情報処理装置識別子とを受信する課金額情報受信部と、情報処理装置識別子に基づいて情報処理装置毎に請求書を発行する請求書発行部とを具備する料金収集センタ用サーバ。
【請求項１７】
状況情報の特定元識別子の特定元はスポンサである請求項１５または請求項１６に記載の料金収集センタ用サーバ。
【請求項１８】
情報処理方法であって、
番組及びデータを含むコンテンツと、情報処理装置で前記データを出力するか否かを識別する出力識別子と、前記データに対応する特定元を識別する特定元識別子と、当該情報処理装置を識別する情報処理装置識別子とを記憶するステップと、
前記記憶部に記憶している出力識別子に基づいて前記データを出力するか否かを判断するステップと、
前記判断部が前記データを出力することを禁止すると判断した場合には、前記データを出力しないように制御して前記記憶部に記憶している番組を出力するステップと、
前記制御部が出力しないように制御したデータに対応する特定元識別子及び前記情報処理装置識別子を含む状況情報を記録するステップと、
前記状況情報記録部で記録した状況情報を出力するステップと
を具備する情報処理方法。
【請求項１９】
情報処理方法であって、
番組及びデータを含むコンテンツと、情報処理装置で前記データを出力するか否かを識別する出力識別子と、前記データに対応する特定元を識別する特定元識別子と、当該情報処理装置を識別する情報処理装置識別子とを記憶するステップと、
前記記憶部に記憶している出力識別子に基づいて前記データを出力するか否かを判断するステップと、
前記判断部が前記データを出力することを禁止すると判断した場合には、前記データを出力しないように制御して前記記憶部に記憶している番組を出力するステップと、
前記制御部が出力しないように制御したデータに対応する特定元識別子及び前記情報処理装置識別子を含む状況情報を記録するステップと、
前記状況情報記録部で記録した特定元識別子に基づいて課金額を決定するステップと
を具備する情報処理方法。
【手続補正２】
【補正対象書類名】明細書
【補正対象項目名】発明の名称
【補正方法】変更
【補正の内容】
【発明の名称】情報処理装置、プログラム、センタ用サーバ、情報処理方法